(57)【要約】【課題】装飾性に優れ且つ合理的に構成された伝動装置を提供すること。【解決手段】被駆動部２００に動力を伝達する伝動装置において、被駆動部を駆動可能に装着した第１透明板２１０と、第１透明板と向かい合うとともに被駆動部と係合した第２透明板３２０と、第２透明板を第１透明板に対して公転させる駆動手段６００とを備え、被駆動部が第２透明板の公転に連動して駆動する構成の伝動装置である。【選択図】        図４
2005054822.tif 000002
【特許請求の範囲】
【請求項１】
被駆動部に動力を伝達する伝動装置において、
前記被駆動部を駆動可能に装着した第１透明板と、
前記第１透明板と向かい合うとともに前記被駆動部と係合した第２透明板と、
前記第２透明板を前記第１透明板に対して公転させる駆動手段とを備え、
前記被駆動部が前記第２透明板の公転に連動して駆動することを特徴とする伝動装置。
【請求項２】
前記駆動手段は、前記第２透明板を枢支する回転駆動部を備えたことを特徴とする請求項１記載の伝動装置。
【請求項３】
当該伝動装置は、前記第２透明板を枢支するローラを備えたことを特徴とする請求項１又は２記載の伝動装置。
【請求項４】
当該伝動装置は、前記第２透明板の縁部の移動領域を覆う枠体を備えたことを特徴とする請求項１乃至３のいずれか記載の伝動装置。
【請求項５】
当該伝動装置は、前記駆動手段を収納するケース体を備え、
前記第２透明板は、前記ケース体の内部に延出する延出部を備え、
前記駆動手段は、前記第２透明板の延出部を操作することを特徴とする請求項１乃至４のいずれか記載の伝動装置。
【請求項６】
当該伝動装置は、前記第１透明板との間に前記第２透明板を介在する第３透明板を備えたことを特徴とする請求項１乃至５のいずれか記載の伝動装置。
【請求項７】
当該伝動装置は、前記第２透明板との間に前記第１透明板を介在する第４透明板を備えたことを特徴とする請求項１乃至６のいずれか記載の伝動装置。
【請求項８】
当該伝動装置は、前記第２透明板の荷重に対する前記駆動手段の負荷を軽減する駆動負荷軽減手段を備えたことを特徴とする請求項１乃至７のいずれか記載の伝動装置。
【請求項９】
当該伝動装置は、前記第２透明板の公転を安定化させる公転安定化手段を備えたことを特徴とする請求項１乃至８のいずれか記載の伝動装置。
【請求項１０】
前記被駆動部は、時計の指針であることを特徴とする請求項１乃至９のいずれか記載の伝動装置。
【発明の詳細な説明】
【０００１】
【発明の属する技術分野】
本発明は、装飾性に優れた伝動装置に関し、時計の指針や装飾用の飾り等を駆動する装置として好適に利用されるものである。
【０００２】
【従来の技術】
装飾に利用される伝動装置は、見た目の面白さが重要とされる。例えば特許文献１には、透明板に指針を設けた時計であって、その指針を駆動する機構が見た目からは解らないように構成されたものが提案されている。つまり、時計を見る者にとっては、なぜ指針が動くのかと興味をそそる不思議なものである。特許文献１に記載された時計の場合、指針を駆動する手段としては、透明板と組み合わせたラチェット機構が採用されている。
【０００３】
【特許文献１】実開昭４９−１８５６３号公報
【０００４】
【発明が解決しようとする課題】
さて、この種の伝動装置については、その趣向を凝らすとともに、被駆動部の駆動効率の向上、設計の自由度の向上等が重要な課題とされており、前述した指針を駆動する機構が解らないように構成された時計についても、これらの諸条件を考慮しつつ更なる構造的工夫が求められている。本発明は、かかる事情に鑑みてなされたものであり、その目的は、装飾性に優れ且つ合理的に構成された伝動装置を提供することである。
【０００５】
【課題を解決するための手段】
本願第１請求項に記載した発明は、被駆動部に動力を伝達する伝動装置において、前記被駆動部を駆動可能に装着した第１透明板と、前記第１透明板と向かい合うとともに前記被駆動部と係合した第２透明板と、前記第２透明板を前記第１透明板に対して公転させる駆動手段とを備え、前記被駆動部が前記第２透明板の公転に連動して駆動する構成の伝動装置である。このような構成によると、装飾性に優れ且つ合理的に構成された伝動装置が得られる。すなわち、本発明の伝動装置によると、第２透明板が第１透明板に対して公転し、被駆動部が第２透明板の公転に連動して駆動する。第１透明板及び第２透明板が透明であるため、被駆動部を駆動する機構は見た目からは解らない。つまり、伝動装置を見る者にとっては、なぜ被駆動部が動くのかと興味をそそる不思議なものとなる。また、被駆動部が第２透明板と連動することによれば、被駆動部には動力を連続して円滑に伝達することが可能となる。仮にラチェット機構を採用すると、被駆動部の動きは間欠的にならざるを得ないところ、本発明によれば、連続した被駆動部の動きを得ることが可能となる。
【０００６】
本願第２請求項に記載した発明は、請求項１において、前記駆動手段は、前記第２透明板を枢支する回転駆動部を備えた構成の伝動装置である。すなわち、第１透明板に対して第２透明板を公転する場合は、駆動手段に回転駆動部を設け、第２透明板はその回転駆動部に枢支するとよい。第２透明板は、回転駆動部の回転と同じ周期で公転する。
【０００７】
本願第３請求項に記載した発明は、請求項１又は２において、当該伝動装置は、前記第２透明板を枢支するローラを備えた構成の伝動装置である。すなわち、第１透明板に対して第２透明板を公転する場合は、伝動装置の要所にローラを設け、第２透明板はそのローラに枢支するとよい。本発明によると、第２透明板の公転をより安定化させることが可能となる。
【０００８】
本願第４請求項に記載した発明は、請求項１乃至３のいずれかにおいて、当該伝動装置は、前記第２透明板の縁部の移動領域を覆う枠体を備えた構成の伝動装置である。すなわち、第２透明板の縁部の移動領域を覆うことによれば、１透明板に対して第２透明板が公転していることを隠すことができ、被駆動部を駆動する機構を解らないようにする点で効果的である。
【０００９】
本願第５請求項に記載した発明は、請求項１乃至４のいずれかにおいて、当該伝動装置は、前記駆動手段を収納するケース体を備え、前記第２透明板は、前記ケース体の内部に延出する延出部を備え、前記駆動手段は、前記第２透明板の延出部を操作する構成の伝動装置である。すなわち、駆動手段は、これを収納するケースの内部に延出した延出部を操作して第２透明板を公転するように構成するとよい。本発明によると、第２透明板及び駆動手段のレイアウトの簡素化が達成される。
【００１０】
本願第６請求項に記載した発明は、請求項１乃至５のいずれかにおいて、当該伝動装置は、前記第１透明板との間に前記第２透明板を介在する第３透明板を備えた構成の伝動装置である。すなわち、ごみや埃等が付着して第２透明板が汚れてしまうと、第１透明板に対して第２透明板が公転していることを露顕してしまう場合がある。また、傍観者が第２透明板を手で触りこれが公転していることを確認してしまう場合も考えられる。この点、第３透明板によれば、第２透明板を外部から保護することにより、これらの事態を防止することが可能となる。
【００１１】
本願第７請求項に記載した発明は、請求項１乃至６のいずれかにおいて、当該伝動装置は、前記第２透明板との間に前記第１透明板を介在する第４透明板を備えたことを特徴とする伝動装置である。すなわち、被駆動部を駆動可能に装着した第１透明板は、第４透明板にて外部から保護するとよい。
【００１２】
本願第８請求項に記載した発明は、請求項１乃至７のいずれかにおいて、当該伝動装置は、前記第２透明板の荷重に対する前記駆動手段の負荷を軽減する駆動負荷軽減手段を備えた構成の伝動装置である。すなわち、第２透明板の荷重に対する駆動手段の負荷を軽減することによれば、駆動手段の動力を省力化することができ、より合理的である。例えば、比較的大きな第２透明板を上下方向に公転する場合は、第２透明板の荷重を持ち上げるのに必要な動力が非常に大きくなり、一定速度の維持が困難になる等の不都合が考えられるところ、本発明によれば、そのような不都合を回避し、より安定した第２透明板の公転を確保することが可能となる。
【００１３】
本願第９請求項に記載した発明は、請求項１乃至８のいずれかにおいて、当該伝動装置は、前記第２透明板の公転を安定化させる公転安定化手段を備えた構成の伝動装置である。すなわち、第２透明板は、その公転に伴い微妙なガタツキ等が生じる場合もある。このような場合は、公転安定化手段を設けることにより、その公転を安定化すると一層合理的である。第２透明板のガタツキは、例えば、これを上下方向に公転する場合において、第２透明板が上昇から下降又は下降から上昇に転じる際に生じる場合が考えられる。
【００１４】
本願第１０請求項に記載した発明は、請求項１乃至９のいずれかにおいて、前記被駆動部は、時計の指針である構成の伝動装置である。すなわち本発明は、装飾性に優れ且つ合理的に構成された伝動装置であり、時計の指針を駆動する装置として好適に利用することが可能である。本発明によれば、なぜ指針が動くのかと興味をそそる不思議な時計が得られる。
【００１５】
【発明の実施の形態】
以下に、本発明の第１具体例を図１乃至図９に基づいて説明する。図１乃至図６に示す本例の伝動装置１は、時針２１０及び分針２２０をそれぞれ所定の速度で回転する時計の指針機構部２００に動力を伝達するものである。そして、指針機構部２００を配置した時刻表示部１００は透明となっており、伝動装置１の手前側からは奥側、奥側からは手前側が透けて見える構成となっている。指針機構部２００には歯車等が連結されていないことが一目で解る。つまり、伝動装置１を見る者にとっては、なぜ指針が動くのかと興味をそそる不思議なものとなる。
【００１６】
この伝動装置１は、被駆動部たる時計の指針機構部２００と、指針機構部２００を駆動可能に装着した第１透明板３１０と、第１透明板３１０と向かい合うとともに指針機構部２００と係合した第２透明板３２０と、第１透明板３１０との間に第２透明板３２０を介在する第３透明板３３０と、第２透明板３２０との間に第１透明板３１０を介在する第４透明板３４０と、第２透明板３２０の縁部の移動領域を覆う枠体４００と、第２透明板３２０をそれぞれ枢支する複数のローラ５００と、第２透明板３２０を第１透明板３１０に対して公転させる駆動手段６００と、駆動手段６００を収納するケース体７００とを備えている。各透明板３１０，３２０，３３０，３４０は、ガラス製又は樹脂製の透明又は半透明の板材である。第１透明板３１０及び第３透明板３３０の間には、適宜間隔でスペーサ３０１が設けられている。枠体４００は、第２透明板３２０の移動領域を覆うとともに、第１透明板３１０、第３透明板３３０、及び第４透明板３４０の縁部を支持するものである。時刻表示部１００は、枠体４００で囲まれた部位であり、各透明板３１０，３２０，３３０，３４０が重ねられた状態となっている。第１透明板３１０、第３透明板３３０、及び第４透明板３４０のいずれかには、時刻の指標部１０１が設けられている。指針機構部２００は、第２透明板３２０の公転に連動して駆動する。
【００１７】
本例の場合、第１透明板３１０、第２透明板３２０、及び第３透明板３３０は、ケース体７００の内部に延出する延出部３１１，３２１，３３１をそれぞれ備えている。
【００１８】
ケース体７００は、上部に枠体４００を搭載するものであり、ケース体７００の内部と枠体４００の内部とを連通する連通部７１０と、枠体４００を支える支柱７２０とを備えている、第１透明板３１０、第２透明板３２０、及び第３透明板３３０の延出部３１１，３２１，３３１は、連通部７１０を貫通して枠体７００の内部に延出している。
【００１９】
駆動手段６００は、モータを内蔵した時計用のムーブメント６１０と、ムーブメント６１０に連結された輪列機構６２０と、第３透明板３３０の延出部３３１に回転可能に装着されるとともに第２透明板３２０の延出部３２１を枢支する回転駆動部６３０と、輪列機構６２０の要所に噛合された針合せカナ６４０とを備え、ムーブメント６１０が出力する動力（つまりトルク）が輪列機構６２０を介して回転駆動部６３０に伝わり、この回転駆動部６３０が第２透明板３２０の延出部３２１を操作して第２透明板３２０を上下方向に公転する構成となっている。第２透明板３２０は１時間に１回転する。針合せカナ６４０は、これを手動で回転すると回転駆動部６３０がその回転に応じて回転するものであり、具体的には、時針２１０及び分針２２０の位置を任意に調整する場合に用いられる。
【００２０】
第２透明体３２０を枢支する各ローラ５００は、第１透明板３１０及び第３透明板３３０の間にそれぞれ装着されている。図例では、枠体４００にて覆われる複数のローラ５００と、ケース体７００の内部に位置する１つのローラ５００とを設けている。各ローラ５００は、外部から見えることはない。
【００２１】
尚、回転駆動部６３０における回転軸６３１と第２透明板３２０の枢支軸６３２との間隔は、ローラ５００における回転軸５０１と第２透明板３２０の枢支軸５０２との間隔と等しく設定されている。回転駆動部６３０の枢支軸６３２とローラ５００の枢支軸５０２とは、同一周期且つ同一半径にて回転する（図５中矢印Ａ、Ｂ方向）。第２透明板３２０は、回転駆動部６３０の枢支軸６３２及び各ローラ５００の枢支軸５２０が回転するとともに第１透明板３１０に対して公転する（図５中矢印Ｃ方向）。
【００２２】
指針機構部２００は、第１透明板３１０に対して回転可能に設けられるとともに第２透明板３２０を枢支する回転入力部２３０と、分針２２０を支持するとともに回転入力部２３０と同期回転する分針パイプ２４０と、指針パイプの回転を減速する日ノ裏車２５０と、時針２１０を支持するとともに日ノ裏車２５０と噛合するギア２６１を備えた時針パイプ２６０とを備えている。回転入力部２３０における回転軸２３１と第２透明板３２０の枢支軸２３２との間隔は、回転駆動部６３０における回転軸６３１と第２透明板３２０の枢支軸６３２との間隔、並びにローラ５００における回転軸５０１と第２透明板３２０の枢支軸５０２との間隔と等しく設定されている。回転入力部２３０の枢支軸２３２は、回転駆動部６３０の枢支軸６３２、並びにローラ５００の枢支軸５０２と同一周期且つ同一半径にて回転する。回転駆動部６３０、ローラ５００、及び回転入力部２３０の配置関係は、第２透明板３２０の公転がきしむことがないように設定している。時針は１２時間に１回転し、分針は１時間に１回転する。
【００２３】
尚、伝動装置１の輸送時等においては、振動の影響による破損や故障をまねく場合が考えられる。そのような破損や故障を防止する場合は、例えば図７に示すように、ロック手段８００を設けるとよい。同図に示すロック手段８００は、所要の部材にそれぞれ設けた孔部に棒体を挿通してそれらの相対移動を抑止することにより、振動の影響を回避するものである。或いは、所要の部材には雌ねじ部を形成し、これに棒体を螺合するように構成してもよい。伝動装置１は、棒体を抜いた後に使用される。
【００２４】
以上のように本例は、装飾性に優れ且つ合理的に構成された伝動装置１であり、時計の指針２１０，２２０を駆動する装置として好適に利用することができる。特に本例は、時針２１０及び分針２２０を駆動するものであるが、第２透明板３２０を１分間で１回転させる等して、更に秒針を駆動するように構成することも可能である。また、本例の構成は、標準時刻電波等の時刻情報を受信するとともに指針による表示時刻をその時刻情報に基づいて自動修正する自動修正時計に応用することも可能である。自動修正時計の場合は、時刻情報を受信する受信手段や、ムーブメント６１０を制御する所定のプログラムを格納したマイコン等を設ける。
【００２５】
更に、本例における各部の構成は、特許請求の範囲に記載した技術的範囲において適宜に設計変更が可能であり、図例したものに限定されないことは勿論である。例えば枠体４００及び各透明板３１０，３２０，３３０，３４０の形状等については、図８及び図９に示すように様々な形態が考えられる。
【００２６】
また、被駆動部としては、指針機構部２００の他、装飾用の飾り等を駆動するように構成することも可能である。更に、第１透明板３１０に複数の被駆動部を設けるとともに各被駆動部をそれぞれ第２透明板３２０に係合し、複数の被駆動部を駆動するように構成することも可能である。或いは、被駆動部を設けた第１透明板３１０及び第２透明板３２０を複数対重ねて配置することも可能である。
更には、第１透明板３１０の前後にそれぞれ第２透明板３２０を設け、１つ又は複数の被駆動部を複数の第２透明板３２０にて駆動するように構成することも可能である。複数の第２透明板３２０を設ける場合は、各第２透明板３２０の公転速度や公転の大きさが互いに異なるように設定することにより、より複雑な被駆動部の駆動形態を得ることが可能となる。
【００２７】
次に、本発明の第２具体例を図１０乃至図１４に基づいて説明する。図１０に示すように、本例の伝動装置１は、第２透明板３２０の荷重に対する駆動手段６００の負荷を軽減する駆動負荷軽減手段９００を備えたものである。第１透明板３１０の延出部３１１と第３透明板３３０の延出部３３１との間には支持体３０２が架設されている。そして、この駆動負荷軽減手段９００は、支持体３０２に設けられた上下方向のスライド軸９０１と、スライド軸９０１に沿って上下移動可能に設けられた重り９０２と、第１透明板３１０の延出部３１１と第３透明板３３０の延出部３３１との間に設けられた滑車９０３と、第２透明板３２０の延出部３２１の要所に設けられた支持部材９０５と、滑車９０３に掛け回されるとともに重り９０２と支持部材９０５とを連結する紐体９０４とを備えたものである。スライド軸９０１、重り９０２、滑車９０３、紐体９０４、及び支持部材９０５は、バランスを確保するべく左右対称に設けられている。駆動手段６００の負荷は、第２透明板３２０の荷重と重り９０２の荷重とが相殺されることにより軽減される。また、伝動装置１の輸送時等においては、振動の影響による駆動負荷軽減手段９００の破損や故障をまねく場合が考えられる。そのような破損や故障を防止する場合は、例えば図１１に示すように、第２ロック手段８１０を設けるとよい。同図に示す第２ロック手段８１０は、支持体３０２に設けた雌ねじ部に雄ねじ部品を螺合するものであり、その雄ねじ部品が重り９０２をスライド軸９０１の移動領域最上部に拘止する構成となっている。伝動装置１は、雄ねじ部品を抜いた後に使用される。尚、その他の基本構成は前述した具体例と同様である。
【００２８】
このように、第２透明板３２０の荷重に対する駆動手段６００の負荷を軽減することによれば、駆動手段６００の動力を省力化することができ、より合理的である。尚、駆動負荷軽減手段９００の構成は、図１０に示すものの他、図１２乃至図１４に示すように、様々な構成が考えられる。
【００２９】
図１２に示す駆動負荷軽減手段９００は、第１透明板３１０の延出部３１１と第３透明板３３０の延出部３３１との間に設けられた軸体９０６と、第２透明板３２０の延出部３２１の要所に設けられた支持部材９０５と、軸体９０６と支持部材９０５とを連結する弾性部材９０７（図例はコイルばね）とを備えたものである。駆動手段６００の負荷は、弾性部材９０７がその弾性力にて第２透明板３２０を上方に付勢することにより軽減される。
【００３０】
図１３に示す駆動負荷軽減手段９００は、第１透明板３１０の延出部３１１と第３透明板３３０の延出部３３１との間に設けられた軸体９０８と、軸体９０８に枢支された梃子９０９と、梃子９０９の一方の端部に設けられるとともに第２透明板３２０の延出部３２１の下端に当接するローラ９１０と、梃子９０９の他方の端部に設けられた重り９１１とを備えたものである。第２透明板３２０の延出部３２１の下端は、ローラ９１０を当接する所定の形状となっている。駆動手段６００の負荷は、第２透明板３２０の荷重と重り９１１の荷重とが相殺されることにより軽減される。
【００３１】
図１４に示す駆動負荷軽減手段９００は、第１透明板３１０の延出部３１１と第３透明板３３０の延出部３３１との間に設けられた軸体９０８と、軸体９０８に枢支された梃子９０９と、梃子９０９の一方の端部に設けられるとともに第２透明板３２０の延出部３２１の下端に当接するローラ９１０と、梃子９０９の他方の端部に設けられた軸体９１２と、支持体３０２に設けられた軸体９１３と、それらの軸体９１２，９１３を連結する弾性体９１４とを備えたものである。駆動手段６００の負荷は、弾性部材９１４がその弾性力にて第２透明板３２０を上方に付勢することにより軽減される。
【００３２】
次に、本発明の第３具体例を図１５に基づいて説明する。本例の伝動装置１は、第２透明板３２０の公転を安定化させる公転安定化手段９１５を備えたものである。同図に示す公転安定化手段９１５は、第２透明板３２０の延出部３２１に摺接する樹脂製の第１摺接体９１６及び第２摺接体９１７を設けることにより、公転に伴う第２透明板３２０の微妙なガタツキを防止する構成となっている。第１摺接体９１６は、第１透明板３１０の延出部３１１又は第３透明板３３０の延出部３３１に支持されている。一方、第２摺接体９１７は、弾性部材９１８（図例はコイルばね）の弾性力により第２透明板３２０を第１摺接体９１６側へ付勢する構成となっている。弾性部材９１８は、第３透明板３３０の延出部３３１又は第１透明板３１０の延出部３１１に支持されたシリンダ９１９の内部に収納されており、第２摺接体９１７は、そのシリンダ９１９に対して移動可能に設けられたロッド９２０に支持されている。弾性部材９１８の弾性力は、シリンダ９１９の内部に収納したスライダ部９２１の位置を移動することによって調整される。スライダ部９２１は、ロッド９２０との間に弾性部材９１８を挟むものであり、その位置は、シリンダ９１９の底部に螺合した雄ねじ部品９２２を回して移動する構成となっている。
【００３３】
このように、本例の伝動装置１は、第２透明板３２０の公転を安定化させる公転安定化手段９１５を備えたものである。本例の場合は、第２透明板３２０を上下方向に公転するので、第２透明板３２０が上昇から下降又は下降から上昇に転じる際には、輪列機構６２０等におけるバックラッシュの影響により、第２透明板３２０に微妙なガタツキが生じる場合が考えられる。公転安定化手段９１５は、かかる第２透明板３２０のガタツキを防止するものである。尚、第２透明板３２０の公転を安定化させる公転安定化手段９１５の構成は、適宜に設計変更が可能であり、図例したものに限定されないことは勿論である。
【００３４】
【発明の効果】
以上説明したように、本発明は、被駆動部に動力を伝達する伝動装置において、被駆動部を駆動可能に装着した第１透明板と、第１透明板と向かい合うとともに被駆動部と係合した第２透明板と、第２透明板を第１透明板に対して公転させる駆動手段とを備え、被駆動部が第２透明板の公転に連動して駆動する構成の伝動装置である。このような構成によると、装飾性に優れ且つ合理的に構成された伝動装置を得ることができる。
【図面の簡単な説明】
【図１】本発明の具体例に係り、伝動装置を示す斜視図である。
【図２】本発明の具体例に係り、伝動装置を示す透視正面図である。
【図３】本発明の具体例に係り、伝動装置を示す透視上面図である。
【図４】本発明の具体例に係り、伝動装置を示す透視側面図である。
【図５】本発明の具体例に係り、図２の要部拡大図であって、駆動部を示す透視正面図である。
【図６】本発明の具体例に係り、図４の要部拡大図であって、被駆動部周辺を示す透視側面図である。。
【図７】本発明の具体例に係り、伝動装置を示す透視側面図である。
【図８】本発明の具体例に係り、伝動装置を示す斜視図である。
【図９】本発明の具体例に係り、伝動装置を示す斜視図である。
【図１０】本発明の具体例に係り、駆動負荷軽減手段を示す透視正面図である。
【図１１】本発明の具体例に係り、駆動負荷軽減手段を示す透視正面図である。
【図１２】本発明の具体例に係り、駆動負荷軽減手段を示す透視正面図である。
【図１３】本発明の具体例に係り、駆動負荷軽減手段を示す透視正面図である。
【図１４】本発明の具体例に係り、駆動負荷軽減手段を示す透視正面図である。
【図１５】本発明の具体例に係り、公転安定化手段を示す透視側面図である。
【符号の説明】
１      伝動装置
１００      時刻表示部
１０１      指標部
２００      指針機構部
２１０      時針
２２０      分針
２３０      回転入力部
２３１      回転軸
２３２      枢支軸
２４０      分針パイプ
２５０      日ノ裏車
２６０      時針パイプ
２６１      ギア
３０１      スペーサ
３０２      支持体
３１０      第１透明板
３１１      延出部
３２０      第２透明板
３２１      延出部
３３０      第３透明板
３３１      延出部
３４０      第４透明板
４００      枠体
５００      ローラ
５０１      回転軸
５０２      枢支軸
６００      駆動手段
６１０      ムーブメント
６２０      輪列機構
６３０      回転駆動部
６３１      回転軸
６３２      枢支軸
６４０      針合せカナ
７００      ケース体
７１０      連通部
７２０      支柱
８００      ロック手段
８１０      第２ロック手段
９００      駆動負荷低減手段
９０１      スライド軸
９０２      重り
９０３      滑車
９０４      紐体
９０５      支持部材
９０６      軸体
９０７      弾性体
９０８      軸体
９０９      梃子
９１０      ローラ
９１１      重り
９１２      軸体
９１３      軸体
９１４      弾性体
９１５      公転安定化手段
９１６      第１摺接体
９１７      第２摺接体
９１８      弾性部材
９１９      シリンダ
９２０      ロッド
９２１      スライダ部
９２２      雄ねじ部品
【図１】
2005054822.tif 000003
【図２】
2005054822.tif 000004
【図３】
2005054822.tif 000005
【図４】
2005054822.tif 000006
【図５】
2005054822.tif 000007
【図６】
2005054822.tif 000008
【図７】
2005054822.tif 000009
【図８】
2005054822.tif 000010
【図９】
2005054822.tif 000011
【図１０】
2005054822.tif 000012
【図１１】
2005054822.tif 000013
【図１２】
2005054822.tif 000014
【図１３】
2005054822.tif 000015
【図１４】
2005054822.tif 000016
【図１５】
2005054822.tif 000017